(57)【要約】【課題】格納時に十分な衝撃緩衝効果が安定して得られ、反発振動による板金部品等で構成された収納部２および収納物が振動音を発しない昇降式収納装置を提供すること。【解決手段】ラック体２をキャビネット１の格納位置に規制するストッパー７をオリフィスの流通抵抗により減衰作用を得る直動式ダンパー９で構成されている速度減衰機構８とすることにより、格納時の衝撃荷重は吸収されラック体２は反発振動を起こすことがなくなりラック体２や収納物の振動音などの不快感を減少させ使用者の操作感を向上することができる。【選択図】図３
2005102975.tif 000002
【特許請求の範囲】
【請求項１】
ラック体と、前記ラック体を昇降自在に支持する昇降支持機構と、昇降支持機構を支える基台と、ラック体を格納位置に規制するストッパーを備え、前記ストッパーは速度減衰機構を備えた昇降式収納装置。
【請求項２】
速度減衰機構は、ダンパーとした請求項１に記載の昇降式収納装置。
【請求項３】
ストッパーは基台に備え、昇降支持機構もしくはラック体に当接させる構成とした請求項１または２に記載の昇降式収納装置。
【請求項４】
ストッパーは昇降支持機構に備え、ラック体もしくは基台に当接させる構成とした請求項１または２に記載の昇降式収納装置。
【請求項５】
ストッパーの速度減衰機構の強さを調節できる調節機構を備えた請求項1〜４のいずれか1項に記載の昇降収納装置。
【請求項６】
ストッパーの速度減衰機構が作用する位置を切替可能な切替機構を備えた請求項1〜５のいずれか1項に記載の昇降収納装置。
【請求項７】
昇降支持機構は平行リンクとし、ラック体の格納位置においては平行リンクを垂直姿勢より後方に傾斜させるとともにストッパーは格納方向にて平行リンクがほぼ垂直あるいは垂直より後方の範囲より速度減衰機構が働くことを特徴とした請求項１〜６のいずれか１項に記載の昇降式収納装置。
【請求項８】
ラック体を格納方向に付勢する付勢手段を備えた請求項１〜７のいずれか１項に記載の昇降式収納装置。
【請求項９】
付勢手段は付勢力の強弱切替が可能な切替手段を備えた請求項８に記載の昇降式収納装置。
【請求項１０】
付勢手段の切替手段と速度減衰機構の調節機構が連動する構成の請求項９に記載の昇降式収納装置。
【請求項１１】
付勢手段の切替手段と速度減衰機構の位置切替機構が連動する構成の請求項９に記載の昇降式収納装置。
【請求項１２】
速度減衰機構はラック体の格納時に作用する引き込み機構を有する構成とした請求項１〜
１１のいずれか１項に記載の昇降式収納装置。
【請求項１３】
前面に開口部を備えたキャビネット内部に請求項1〜１２のいずれか1項記載の収納装置を配設した昇降収納キャビネット。
【発明の詳細な説明】
【技術分野】
【０００１】
本発明は昇降式収納装置および昇降収納キャビネットに関するものである。
【背景技術】
【０００２】
従来、この種の昇降式収納装置は基台に設置したストッパーをゴムなどの弾性体と、前記弾性体の外側を金属外皮にて覆ったもので構成し、衝撃緩衝機構として用いている（例えば、特許文献１参照）。
【０００３】
図１１〜１２は、特許文献１に記載された従来の収納部昇降支持装置を示すものである。図１１〜１２に示すように、基台３４に設置されたストッパー３５はゴム３６とゴム３６の外側を覆った金属外皮３７で構成されており、昇降機構のリンク３８は収納位置で前記ストッパー３５に当接し前記ゴム３６は当接時の衝撃を緩衝する構造である。
【特許文献１】特開２００１−３７５５６号公報
【発明の開示】
【発明が解決しようとする課題】
【０００４】
前記従来の構成では、
緩衝機構が弾性体であるため、リンクがストッパーに当接した場合、反発振動を起こし、板金部品等で構成された収納部２および収納物が振動音を発するという課題を有していた。
【０００５】
また、収納部２に収納物が入っていないような状態で収納部２を下降端まで引き出し手を離すと、基台１内に配設されたバネなどの収納部２を格納方向に付勢する付勢手段による付勢力が勝り、収納部２が上昇端まで勢い良く戻り、反発振動が大きくなるという課題も有していた。
【０００６】
本発明は、前記従来の課題を解決するもので、格納時に十分な衝撃緩衝効果が安定して得られ、反発振動による板金部品等で構成された収納部２および収納物が振動音を発しない昇降式収納装置を提供することを目的とする。
【課題を解決するための手段】
【０００７】
前記従来の課題を解決するために、本発明の昇降式収納装置は、ラック体を格納位置に規制するストッパーを備え、前記ストッパーは速度減衰機構を備えたものである。
【０００８】
これによって、昇降式収納装置においてラック体を格納する時の衝撃は速度減衰機構を備えたストッパーにて減衰され、ラック体の格納時の反発振動を起こすことがなくなる。
【発明の効果】
【０００９】
本発明の昇降式収納装置は、以上の説明より明らかなように、ラック体を格納する時の衝撃は速度減衰機構を備えたストッパーにて緩衝され、ラック体の格納時の反発振動を起こすことがなくなり、使用者の操作感を向上することができる。
【発明を実施するための最良の形態】
【００１０】
第１の発明は、ラック体と、前記ラック体を昇降自在に支持する昇降支持機構と、昇降支持機構を支える基台と、ラック体を格納位置に規制するストッパーを備え、前記ストッパーは速度減衰機構を備えることにより、昇降式収納装置においてラック体を格納する時の衝撃は、速度減衰機構を備えたストッパーにて減衰され、ラック体の格納時の反発振動を起こすことがなくなり、使用者の操作感を向上することができる。
【００１１】
第２の発明は、特に、第１の発明の速度減衰機構をダンパーとすることにより、確実な衝撃減衰効果を得ることができ、ラック体の格納時の反発振動を起こすことがなくなり、使用者の操作感を向上することができる。
【００１２】
第３の発明は、特に、第１または第２の発明のストッパーを基台に備え、昇降支持機構もしくはラック体に当接させる構成とすることにより、ストッパーの取付位置の選択範囲が広がり、速度減衰機構の仕様と昇降収納装置の仕様により最適な位置に取付けることができる。
【００１３】
第４の発明は、特に、第１または第２の発明のストッパーを昇降支持機構に備え、ラック体もしくは基台に当接させる構成としたとすることにより、第３の発明と同様にストッパーの取付位置の選択範囲が広がり、速度減衰機構の仕様と昇降収納装置の仕様により最適な位置に取付けることができる。
【００１４】
第５の発明は、特に、第１〜４のいずれか１つの発明のストッパーを速度減衰機構の強さを調節できる調節機構を備えたものとすることにより、ラック体の重量や収納物重量もしくはラック体格納時の速度の違いによる、衝撃力の違いを調整機構により調整することができる。
【００１５】
第６の発明は、特に、第１〜５のいずれか１つの発明のストッパーを速度減衰機構が作用する位置を切替可能な切替機構を備えたものとすることにより、ラック体の重量や収納物重量もしくはラック体格納時の速度の違いによる、衝撃力の違いを切替機構により調整することができる。
【００１６】
第７の発明は、特に、第１〜６のいずれか１つの発明の昇降支持機構を平行リンクとし、ラック体の格納位置においては平行リンクを垂直姿勢より後方に傾斜させるとともにストッパーは格納方向にて平行リンクがほぼ垂直あるいは垂直より後方の範囲より速度減衰機構が働く構成とすることにより、格納動作時の速度減衰機構の効果を十分に得ることができる。
【００１７】
第８の発明は、特に、第１〜７のいずれか１つの発明の昇降式収納装置において、ラック体を格納方向に付勢する付勢手段を備えた構成とすることにより、ラック体格納時の使用者の負担を減らすことができ、また、ラック体の収納物が少なく付勢手段が勝り収納方向に勢い良く動いた場合でも速度減衰機構が働くことにより、ラック体が格納位置で反発振動を起こすことなく使用者の操作感を向上させることができる。
【００１８】
第９の発明は、特に、第８の発明の昇降式収納装置において、付勢手段は、付勢手段の強弱切替可能な切替手段を備えた構成とすることにより、収納重量によって付勢手段の強弱を切り替えることができ、ラック体格納時の使用者の負担を減らすことができる。また付勢手段の強弱切替が強で、ラック体の収納物が少なく付勢手段が勝り収納方向に勢い良く動いた場合でも速度減衰機構が働くことにより、ラック体が格納位置で反発振動を起こすことなく使用者の操作感を向上させることができる。
【００１９】
第１０の発明は、特に第９の発明の昇降式収納装置において、付勢手段の切替手段と速度減衰機構の調節機構が連動する構成とすることにより、付勢手段の強弱切替が強で、ラック体の収納物が少なく付勢手段が勝り収納方向に勢い良く動いた場合でも、速度減衰機構も強く連動調整ができており、ラック体が格納位置で反発振動を起こすことなく使用者の操作感を向上させることができる。
【００２０】
第１１の発明は、特に第９の発明の昇降式収納装置において、付勢手段の切替手段と速度減衰機構の位置切替機構が連動する構成とすることにより、付勢手段の強弱切替が強で、ラック体の収納物が少なく付勢手段が勝り収納方向に勢い良く動いた場合でも、速度減衰機構の位置切替機構が連動し減衰機構も強く効く位置に移動することにより、ラック体が格納位置で反発振動を起こすことなく使用者の操作感を向上させることができる。
【００２１】
第１２の発明は、特に、第１〜１１のいずれか１つの発明の速度減衰機構をラック体の格納時に作用する引き込み機構を有すると構成としたことにより、ラック体の格納動作を格納位置まで行わなくても、ラック体が自重により降下することなく格納位置に引き込まれ、かつ速度減衰機構によりラック体が格納位置で反発振動を起こすことなく使用者の操作感を向上させることができる。
【００２２】
第１３の発明は、特に、第１〜１２のいずれか１つの発明の収納装置を、前面に開口部を備えたキャビネット内部に配設した構成とすることにより、ラック体がキャビネットより昇降自在に移動でき、収納物のキャビネットへの出し入れが容易になる。また、速度減衰機構により、ラック体の格納時の反発振動を起こすことがなくなり、使用者の操作感を向上することができる。
【００２３】
以下、本発明の実施の形態について、図面を参照しながら説明する。なお、この実施の形態によって本発明が限定されるものではない。
【００２４】
（実施の形態１）
本例の昇降式収納装置は、図１から図４に示すように、キャビネット１とキャビネット１に組み込まれたラック体２と、ラック体２をキャビネット１から昇降自在に支持する前アーム４と後アーム５で構成された昇降支持機構３と、昇降支持機構３を支える基台６と、基台６にラック体２をキャビネット１の格納位置に規制するストッパー７をねじなどの保持手段により固定し、ストッパー７には速度減衰機構８を備えている。速度減衰機構８は、主たる構成部材としてオリフィスの流通抵抗により減衰作用を得る直動式ダンパー９で構成されている。
【００２５】
昇降支持機構３は、前アーム４と後アーム５の各々の基端部を基台６にて枢支しており、それら前アーム４と後アーム５の遊端部が連結板１０に枢着され、連結板１０がラック体２の両側面に固定されている。
【００２６】
ラック体２のキャビネット１の格納位置においては、後アーム５の後端がストッパー７の速度減衰機構８に当接する構成となっている。
【００２７】
また、平行リンクで構成された昇降支持機構３はラック体２のキャビネット１内での格納位置においては、平行リンクを垂直姿勢より後方に傾斜させるとともにストッパーは格納方向にて平行リンクがほぼ垂直あるいは垂直より後方の範囲より速度減衰機構が働く構成としてある。
【００２８】
後アーム５を枢支するとともに後アーム５と連動して回転する枢支軸１１が基台６内に突出され、基台６内でこの枢支軸１１に連動回転板１２が固着されている。連動回転板１２の一端部１２ａのばね掛け穴１３と基台６の上部前端の設けたばね掛け穴１４との間に引張ばね１５が介装され、連動回転板１２の他端部１２ｂに設けた支軸ピン１６と基台６の上部後端部に設けた支軸ピン１７との間に直動式ダンパ１８が介装されている。
【００２９】
前記枢支軸１１には回転板１９が回転自在に支持されており、回転板１９の一端部のばね掛け穴２０と基台６の上部後方部に設けたばね掛け穴２１との間に引張ばね２２が介装され、付勢力切替機構２３により回転板１９は連動回転板１２と連動と非連動を切り替える。
【００３０】
前アーム４の基端部には枢支ピン２４が固定され、この枢支ピン２４が基台６に設けられた軸受け部２５にて回転自在に支持されている。
【００３１】
以上のように構成された昇降式収納装置について、以下その動作、作用を説明する。
【００３２】
まず、ラック体２をキャビネット１内からその前方下部に引き出す場合、ラック体２の前端下端部のハンドル２６を手前に引くと、ラック体２は平行リンクが垂直姿勢より前方に傾斜した時点より、ラック体２の自重とラック体２に収納された収納物による回動モーメントにより加速度的に効果し始めるが、その回動モーメントを相殺するように連動回転板１２と引張ばね１５による逆向きの回動モーメントが作用し、さらに直動式ダンパ１８によってその回動速度が抑制されるため、ラック体２はゆっくりと下降端まで下降する。
【００３３】
一方、ラック体２を上昇させてキャビネット１内に格納する場合にも、ラック体２とラック体２に収納された収納物の荷重による回転モーメントが引張ばね１５の付勢力により相殺され、かつ直動式ダンパ１８はワンウェイ機構により上昇時の抵抗は殆どなくなるので、比較的軽く上昇させて格納することができる。ラック体２の格納時においては、軽く上昇できることの弊害として過大な衝撃荷重が発生するが、後アーム５がストッパー７の速度減衰機構８に当接し、速度減衰機構８の直動式ダンパー９のオリフィスの流通抵抗による減衰作用により、過大な衝撃荷重は吸収され、ラック体２は反発振動を起こすことがなくなる。
【００３４】
また、付勢力切替機構２３により回転板１９を連動回転板１２と連動させると、ラック体２とラック体２に収納された収納物の荷重による回転モーメントが引張ばね１５に加え、回転板１９の一端部のばね掛け穴２０と基台６の上部後方部に設けたばね掛け穴２１との間に介された引張ばね２２の付勢力により相殺され、かつ直動式ダンパ１８はワンウェイ機構により上昇時の抵抗は殆どなくなるので、引張ばね１５だけの非連動時に比べて、ラック体２とラック体２に収納された収納物の荷重が同等であれば、さらに軽く上昇させて格納することができる。
【００３５】
以上のように、本実施の形態においてはラック体２をキャビネット１の格納位置に規制するストッパー７をオリフィスの流通抵抗により減衰作用を得る直動式ダンパー９で構成されている速度減衰機構８とすることにより、格納時の衝撃荷重は吸収されラック体２は反発振動を起こすことがなくなりラック体２や収納物の振動音などの不快感を減少させ使用者の操作感を向上することができる。
【００３６】
また、本実施の形態では、平行リンクで構成された昇降支持機構３はラック体２のキャビネット１内での格納位置において、平行リンクを垂直姿勢より後方に傾斜させたことにより、格納後にラック体２が振動などで不用意にキャビネット１から飛び出すこともなく、また、ストッパーは格納方向にて平行リンクがほぼ垂直あるいは垂直より後方の範囲より速度減衰機構が働く構成としたことによりラック体２を上昇させる途中で速度減衰機構が働いて、逆に使用者の負担となることがなく、安全性および使用者の操作感を向上させることもできる。
【００３７】
また、本実施の形態の基台６に備えたラック体２をキャビネット１の格納位置に規制するストッパー７を昇降支持機構３の前アーム４もしくは後アーム５に設けラック体２もしくは基台６に当接させる構成とすることにより、特に、ラック体２をキャビネット１より引き出すと前アーム４もしくは後アーム５も追従して使用者の手の届く位置にくるため、昇降支持機構３の調整・メンテナンスなどを容易に行うことができる。
【００３８】
（実施の形態２）
次に、図６〜１０を用いて本発明の第２の実施の形態の説明を行う。なお、上記実施の形態１と同一の構成要素については同一参照符号を付して説明を省略し、相違点のみを説明する。
【００３９】
上記実施の形態１では、基台６にストッパー７をねじなどの保持手段により固定したが、本実施形態では基台６に長穴２７を設け、その長穴２７にスライドピン２８を介してストッパー７およびダンパー９で構成された速度減衰機構８が移動可能に保持されている。長穴２７は枢支軸１１を中心として回転する後アーム５の回転略法線方向に長手面が形成されている。
【００４０】
スライドピン２８は基台６内でリンクＡ２９の上端部に枢支され、リンクＡ２９の下端部はリンクＢ３０の上端部と枢支され、リンクＢ３０は両端部間に形成された長穴３１に基台６に固定されたリンクＢピン３２を介して、長穴３１の範囲内で回転・移動可能に保持されている。リンクＢ３０の下端部は付勢力切替機構２３の切替リンク３３の先端部に枢支されている。
【００４１】
以上のように構成された昇降式収納装置について、以下その動作、作用を説明する。
【００４２】
図９において、付勢力切替機構２３は、回転板１９が連動しておらず、付勢力は引張ばね１５のみ働く状態を示している。このときに、ストッパ７は長穴２７の枢支軸１１に近い位置に保持されており、ダンパー９で構成された速度減衰機構８も同位置での効果を得られる。次に、切替リンク３３をＣ１方向に動かすことにより付勢力切替機構２３は、回転板１９が連動して、付勢力は引張ばね１５に加えて引張ばね２２も働く状態となり、かつストッパ７もリンクＢおよび、リンクＡのＤ１・Ｅ１方向の動きにより枢支軸１１から離れる方向（Ｅ１）に移動する。この状態でのラック体２の格納時においては、付勢力が引張ばね１５に加えて引張ばね２２も働く状態であるため、付勢力が引張ばね１５だけの場合より軽く上昇できるという優位点はあるが、その弊害としてより過大な衝撃荷重が発生するする。しかし、ストッパー７も枢支軸１１から離れる方向（Ｅ１）に移動しており、後アーム５がストッパー７の速度減衰機構８に当接する作用点と支点(枢支軸１１)の距離が長くなるために、速度減衰機構８の直動式ダンパー９による減衰作用も強くなる。そのために、より過大な衝撃荷重は吸収され、ラック体２は反発振動を起こすことがなくなる。
【００４３】
以上のように、付勢力切替機構２３と速度減衰機構８の位置切替機構が連動する構成とすることにより、付勢手段の強弱切替が強で、ラック体２の収納物が少なく付勢手段が勝り収納方向に勢い良く動いた場合でも、速度減衰機構の位置切替機構が連動し減衰機構も強く効く位置に移動することにより、ラック体２が格納位置で反発振動を起こすことなく使用者の操作感を向上させることができる。
【００４４】
なお、本実施の形態では、速度減衰機構の位置の切替を枢支軸１１を中心として回転する後アーム５の回転略法線方向としたが、速度減衰機構の位置の切替方向を枢支軸１１を中心として回転する後アーム５の回転略接線方向としても、速度減衰機構８の直動式ダンパー９の後アーム５に対する当接するストロークが変化し、速度減衰機構の強さが調整でき、本実施の形態と同様の効果を得ることができる。
【００４５】
また、本実施の形態では、付勢力切替機構２３と速度減衰機構８の位置切替機構が連動する構成としたが、連動せずに速度減衰機構８の作用する位置を切替可能な切替機構を備えたものとすることにより、キャビネット１の幅違いなど、ラック体の重量や収納物の想定重量が異なることによるラック体格納時の衝撃力の違いを使用者もしくは製造時に速度減衰機構８の作用する位置を調整機構により調整することができ、製品の仕様に応じたものを部品の種類を増やすことなく生産することができる。
【産業上の利用可能性】
【００４６】
以上のように、本発明にかかる昇降式収納装置および昇降収納キャビネットは、ラック体を格納する時の衝撃は速度減衰機構を備えたストッパーにて緩衝され、ラック体の格納時の反発振動を起こすことがなくなり、使用者の操作感を向上することが可能となるので、キッチンの高所の昇降収納キャビネットのほか住居内の各所の収納や店舗の商品陳列台等の用途にも適用できる。
【図面の簡単な説明】
【００４７】
【図１】本発明の実施の形態１における昇降式収納装置および昇降収納キャビネットの全体斜視図
【図２】本発明の実施の形態１における昇降式収納装置および昇降収納キャビネットの全体正面図
【図３】本発明の実施の形態１における昇降式収納装置の斜視図
【図４】本発明の実施の形態１における昇降式収納装置のストッパー部拡大図
【図５】本発明の実施の形態１における昇降式収納装置の機構部内面斜視図
【図６】本発明の実施の形態２における昇降式収納装置の斜視図
【図７】本発明の実施の形態２における昇降式収納装置のストッパー部分解斜視図
【図８】本発明の実施の形態２における昇降式収納装置のストッパー部拡大図
【図９】本発明の実施の形態２における昇降式収納装置の機構部内面図
【図１０】本発明の実施の形態２における昇降式収納装置の機構部内面斜視図
【図１１】従来の昇降式収納装置の側面断面図
【図１２】従来の昇降式収納装置のストッパー部の分解斜視図
【符号の説明】
【００４８】
１  キャビネット
２  ラック体
３  昇降支持機構
６  基台
７  ストッパー
８  速度減衰機構
９  ダンパー
【図１】
2005102975.tif 000003
【図２】
2005102975.tif 000004
【図３】
2005102975.tif 000005
【図４】
2005102975.tif 000006
【図５】
2005102975.tif 000007
【図６】
2005102975.tif 000008
【図７】
2005102975.tif 000009
【図８】
2005102975.tif 000010
【図９】
2005102975.tif 000011
【図１０】
2005102975.tif 000012
【図１１】
2005102975.tif 000013
【図１２】
2005102975.tif 000014